(57)【要約】【課題】建物内部の熱を建物の外部に放出する積層体を提供する。【解決手段】  下記Ａ層、下記Ｂ層、下記Ｃ層、下記Ｄ層および下記Ｅ層がこの順番に重なってなる積層体。  Ａ層：ＵＣＳＴ型相分離の臨界温度（ａ）が０℃から５０℃である組成物を含有する層  Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層  Ｃ層：ＤＳＣ（示差走査熱量測定）で測定される融解曲線のピーク温度（ｂ）が０℃から５０℃である成分（成分（Ｃ−１））を含有する層  Ｄ層：ＤＳＣ（示差走査熱量測定）で測定される転移エンタルピー（ΔＨ）が１０Ｊ／ｇ以上である蓄熱層  Ｅ層：前記Ｄ層に接していない表面が親水表面であり、当該親水表面の水滴接触角が６０度以下である層【選択図】図１
2013052677.tif 000002
【特許請求の範囲】
【請求項１】
下記Ａ層、下記Ｂ層、下記Ｃ層、下記Ｄ層および下記Ｅ層がこの順番に重なってなる積層体。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｅ層：前記Ｄ層に接していない表面が親水表面であり、当該親水表面の水滴接触角が６０度以下である層
【請求項２】
下記Ａ層、下記Ｂ層、下記Ｃ層、下記Ｄ層、下記Ｂ層および下記Ｆ層がこの順番に重なってなる積層体。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｆ層：ＬＣＳＴ型相分離の臨界温度（ｃ）が０℃から５０℃である組成物を含有する層
【請求項３】
下記Ａ層、下記Ｂ層、下記Ｃ層および下記Ｄ層がこの順番に重なり、下記Ｄ層の上に下記Ｅ層が重なる部分と、下記Ｄ層の上に下記Ｂ層および下記Ｆ層がこの順番に重なる部分とを有し、前記Ｄ層の上に重なる前記Ｂ層と前記Ｅ層との面積の比（Ｂ：Ｅ）が２：１〜１：２である積層体。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｅ層：前記Ｄ層に接していない表面が親水表面であり、当該親水表面の水滴接触角が６０度以下である層
Ｆ層：ＬＣＳＴ型相分離の臨界温度（ｃ）が０℃から５０℃である組成物を含有する層
【請求項４】
Ａ層に含まれる組成物が、２種以上のポリマーを含有する組成物または感温性ポリマー系組成物である請求項１〜３のいずれかに記載の積層体。
【請求項５】
Ｂ層が、黒鉛、ピッチ系炭素繊維、アルミナおよび窒化ホウ素からなる群から選ばれる熱伝導材料と、ポリプロピレンおよびポリエチレンからなる群から選ばれる高分子材料とを含有する層である請求項１〜４のいずれかに記載の積層体。
【請求項６】
成分（Ｃ−１）が、ＤＳＣ（示差走査熱量測定）で測定したときの転移エンタルピー（ΔＨ）が５０Ｊ／ｇ以上である成分であることを特徴とする請求項１〜５のいずれかに記載の積層体。
【請求項７】
Ｆ層に含まれる組成物が、２種以上のポリマーを含有する組成物または感温性ポリマー系組成物である請求項２〜６のいずれかに記載の積層体。
【請求項８】
Ｆ層に含まれる組成物がポリイソブチレンとエチレン−プロピレン交互共重合体とを含むポリマー組成物、ビニルエーテルポリマーの水溶液組成物またはポリ(N-イソプロピルアクリルアミド)の水溶液組成物である請求項２〜７のいずれかに記載の積層体。
【請求項９】
ＵＣＳＴ型相分離の臨界温度（ａ）と融解曲線のピーク温度（ｂ）とが下記式（１）の関係を満たす請求項１〜８のいずれかに記載の積層体。
（ａ−５）℃＜＝ｂ℃＜＝（ａ＋５）℃          （１）
【請求項１０】
融解曲線のピーク温度（ｂ）とＬＣＳＴ型相分離の臨界温度（ｃ）とが下記式（２）の関係を満たす請求項２〜９のいずれかに記載の積層体。
ｃ℃＜＝ｂ℃＜＝（ｃ＋５）℃                  （２）
【請求項１１】
請求項１〜１０のいずれかに記載の積層体のＡ層が建物の屋内側に配置される積層建材。
【発明の詳細な説明】
【技術分野】
【０００１】
本発明は、建物内部の熱を建物外部に放出するヒートポンプの役割を果たす積層体に関するものである。
【背景技術】
【０００２】
家庭におけるエネルギー消費量の多くを占める、室内の温度調整に消費されるエネルギーを抑制するため、壁面に発泡断熱材を使用した高断熱住宅などが存在する。
【発明の概要】
【発明が解決しようとする課題】
【０００３】
しかしながら、高断熱住宅であっても、室内の温度を快適な温度に調整するために、尚多くのエネルギーを消費する。昨今の地球温暖化の問題に対応するため、さらに効率的にエネルギーを利用することが求められている。
かかる状況のもと、本発明が解決しようとする課題は、建物内部の熱を建物の外部に放出する積層体を提供することにある。
【課題を解決するための手段】
【０００４】
すなわち、本発明の第１は、下記Ａ層、下記Ｂ層、下記Ｃ層、下記Ｄ層および下記Ｅ層がこの順番に重なってなる積層体に係るものである。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｅ層：前記Ｄ層に接していない表面が親水表面であり、当該親水表面の水滴接触角が６０度以下である層
【０００５】
また、本発明の第２は、下記Ａ層、下記Ｂ層、下記Ｃ層、下記Ｄ層、下記Ｂ層および下記Ｆ層がこの順番に重なってなる積層体に係るものである。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｆ層：ＬＣＳＴ型相分離の臨界温度（ｃ）が０℃から５０℃である組成物を含有する層
【０００６】
また、本発明の第３は、下記Ａ層、下記Ｂ層、下記Ｃ層および下記Ｄ層がこの順番に重なり、下記Ｄ層の上に下記Ｅ層が重なる部分と、下記Ｄ層の上に下記Ｂ層および下記Ｆ層がこの順番に重なる部分とを有し、前記Ｄ層の上に重なる前記Ｂ層と前記Ｅ層との面積の比（Ｂ：Ｅ）が２：１〜１：２である積層体に係るものである。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｅ層：前記Ｄ層に接していない表面が親水表面であり、当該親水表面の水滴接触角が６０度以下である層
Ｆ層：ＬＣＳＴ型相分離の臨界温度（ｃ）が０℃から５０℃である組成物を含有する層
【発明の効果】
【０００７】
本発明の積層体により、建物内部の熱を建物の外部に放出することができる。従って、暑い日には、昼の建物内の熱エネルギーを該積層建材が蓄熱し、蓄えられた熱を夜に建物外に放出するため、建物内を快適な温度にするのに必要な空調機による消費エネルギーを抑制することができ、寒い日には、該積層建材はヒートポンプ機能を発現せず断熱材として機能するため、暑い日と同様に、少量のエネルギー消費量で室内を快適な温度に保つことができる。
【図面の簡単な説明】
【０００８】
【図１】本発明の実施の形態１の積層体を示した図である。
【図２】本発明の実施の形態２の積層体を示した図である。
【図３】本発明の実施の形態３の積層体を示した図である。
【図４】本発明の実施の形態４の積層体を示した概観図である。
【図５】本発明の実施の形態４の積層体における一態様を示した図である。
【図６】本発明の実施の形態４の積層体における一態様を示した図である。
【図７】本発明の実施の形態４の積層体における一態様を示した図である。
【図８】本発明の実施の形態４の積層体における一態様を示した図である。
【図９】比較例２における一態様を示した図である。
【図１０】屋外温度、および実施例４、比較例１、２における屋内温度の変化を示した図である。
【発明を実施するための形態】
【０００９】
以下に、積層体の好ましい構造について述べる。
【００１０】
（１）積層体（１）
本発明の積層体（１）は、下記Ａ層、下記Ｂ層、下記Ｃ層、下記Ｄ層および下記Ｅ層がこの順番に重なってなる積層体である。
Ａ層：ＵＣＳＴ型相分離の臨界温度（ａ）が０℃から５０℃である組成物を含有する層
Ｂ層：当該Ｂ層に平行な方向への熱伝導率が３Ｗ／ｍＫ以上であり、当該Ｂ層に垂直な方向への熱伝導率が０．５Ｗ／ｍＫ以上である熱伝導層
Ｃ層：ＤＳＣ（示差走査熱量測定）で測定される融解曲線のピーク温度（ｂ）が０℃から５０℃である成分（成分（Ｃ−１））を含有する層
Ｄ層：ＤＳＣ（示差走査熱量測定）で測定される転移エンタルピー（ΔＨ）が１０Ｊ／ｇ以上である蓄熱層
Ｅ層：前記Ｄ層に接していない表面が親水表面であり、当該親水表面の水滴接触角が６０度以下である層
ここで、ＵＣＳＴ型相分離の臨界温度とは、上部完溶温度（UCST： Upper Critical Solution Temperature）の略であり、低温で２相分離、高温で均一完全溶解する系で、その境界温度をいう。
【００１１】
積層体（１）は、例えば、建物内部の熱を建物外部に放出するヒートポンプの役割を果たす積層建材として用いることができ、その際は、Ａ層が建物の屋内側に配置される。
【００１２】
Ａ層は、ＵＣＳＴ型相分離の臨界温度（ａ）が０℃から５０℃である組成物を含有する層である。積層体（１）が積層建材として用いられる場合は、Ａ層は、建物内において熱の輻射を制御する機能を有する。高温時には輻射を遮らず、低温時に輻射を遮る役割を有する。また、Ａ層は、均一相となる温度域では透明となることで輻射を透過させてＢ層に熱を伝える一方で、２相分離する温度域では白濁するなどして輻射を遮蔽し、Ｂ層からの熱を室内に伝えないようにすることができる。
【００１３】
Ａ層に含まれる組成物としては、２種以上のポリマーを含有する組成物、感温性ポリマー系組成物等が挙げられる。２種以上のポリマーを含有する組成物としては、エチレン−プロピレン交互共重合体とエチレン重合体とを含有する組成物等が挙げられる。感温性ポリマー系組成物としては、オキシエチレン鎖を側鎖に持つビニルエーテルポリマーの有機溶媒溶液系組成物等が挙げられる。取り扱いの容易さ、湿度による影響を最小限にする観点から、Ａ層に含まれる組成物として、好ましくは、２種以上のポリマーを含有する組成物であり、より好ましくは、２種以上のポリオレフィンを含有する組成物である。
【００１４】
Ｂ層は、当該Ｂ層に平行な方向への熱伝導率が３Ｗ／ｍＫ以上であり、当該Ｂ層に垂直な方向への熱伝導率が０．５Ｗ／ｍＫ以上である熱伝導層である。積層体（１）が積層建材として用いられる場合は、Ｂ層は、建物内が高温になった時に、輻射でＢ層に届いた熱を、層に平行な方向に高速に伝熱し、層面全体の温度を上げ、更に、層に垂直な方向に輻射熱を伝熱し、Ｃ層全体に有効に輻射熱を伝える機能を有する。層に平行な熱伝導率として、好ましくは、３Ｗ／ｍＫ以上２０００Ｗ／ｍＫ以下であり、より好ましくは、１０Ｗ／ｍＫ以上２０００Ｗ／ｍＫ以下であり、更に好ましくは、１５Ｗ／ｍＫ以上２０００Ｗ／ｍＫ以下である。層に垂直な熱伝導率として、好ましくは、０．５Ｗ／ｍＫ以上２０００Ｗ／ｍＫ以下であり、より好ましくは、２Ｗ／ｍＫ以上２０００Ｗ／ｍＫ以下、更に好ましくは、５Ｗ／ｍＫ以上２０００Ｗ／ｍＫ以下である。
【００１５】
熱伝導率は、レーザーフラッシュ法を用いて、下記の測定条件で測定される値である。
８０ｍｍ×１０ｍｍ×厚み４ｍｍの成形体を３枚重ねて接着して、８０ｍｍ×１０ｍｍ×厚み１２ｍｍの積層体を得た。この積層体の中央部分を２箇所、接着面に対して垂直な方向から切断し、各切断面を研磨して１０ｍｍ×１２ｍｍ×厚み１ｍｍの試験片を作成した。この試験片を用いて、レーザーフラッシュ法熱定数測定装置（真空理工社製  ＴＣ−３０００）により層に平行な熱伝導率を求めることができる。また、８０ｍｍ×１０ｍｍ×厚み４ｍｍの成形体を厚み方向に裏表各々１．５ｍｍずつ削りだし、８０ｍｍ×１０ｍｍ×厚み１ｍｍの成形体を得て、この成形体の中央部２箇所、切断し、各切断面を研磨して１０ｍｍ×１０ｍｍ×厚み１ｍｍの試験片を作成した。この試験片を用いて、レーザーフラッシュ法熱定数測定装置（真空理工社製  ＴＣ−３０００）により層に垂直な熱伝導率を求めることができる。
【００１６】
Ｂ層に含まれる成分としては、黒鉛、ピッチ系炭素繊維、アルミナおよび窒化ホウ素からなる群から選ばれる熱伝導材料と、ポリプロピレンおよびポリエチレンからなる群から選ばれる高分子材料等が挙げられる。
【００１７】
Ｃ層は、ＤＳＣ（示差走査熱量測定）で測定される融解曲線のピーク温度（ｂ）が０℃から５０℃である成分（成分（Ｃ−１））を含有する層である。積層体（１）が積層建材として用いられる場合は、成分（Ｃ−１）は、建物内が暑くなった時に、部屋内部から伝わってきた熱により融解し、融解時の吸熱により部屋を冷やす冷媒となる機能を有する。また、Ｃ層に含まれる成分（Ｃ−１）は、部屋内部が冷えてくると結晶化すると発熱し、発生した熱はＤ層の蓄熱層に蓄えられ、夜間などの、建物の外が冷えた時に蓄熱層（Ｄ層）から熱伝導層（Ｂ層）またはＥ層を伝って建物外に放出される。成分（Ｃ−１）として、好ましくは、ＤＳＣ（示差走査熱量測定）で測定される転移エンタルピー（ΔＨ）が５０Ｊ／ｇ以上である成分である。効率的な冷媒として機能させる観点から、転移エンタルピー（ΔＨ）として、好ましくは、５０Ｊ／ｇ以上３００Ｊ／ｇ以下であり、より好ましくは、１００Ｊ／ｇ以上３００Ｊ／ｇ以下であり、更に好ましくは、１５０Ｊ／ｇ以上３００Ｊ／ｇ以下であり、特に好ましくは、２００Ｊ／ｇ以上３００Ｊ／ｇ以下である。
【００１８】
成分(Ｃ−１)は、Ｃ層中に１０重量％以上含まれているのが好ましく、１５重量％以上含まれていることがより好ましく、２０重量％以上含まれていることが更に好ましい。
【００１９】
また、Ｃ層は成分（Ｃ−１）の融解時においても、形状を保持することが好ましく、成分（Ｃ−１）が架橋構造を有しているか、またはＣ層が、成分（Ｃ−１）以外の構成成分として成分（Ｃ−２）を有し、成分（Ｃ−２）は、結晶性材料でも非晶性材料でもよいが、少なくとも４０℃以下の温度域において結晶状態、またはガラス状態を保持することが好ましく、すなわち、示差走査型熱量計で測定される融解曲線のピーク温度またはガラス転移温度が４０℃以上であることが好ましく、より好ましくは、５０℃以上であり、更に好ましくは、６０℃以上である。
【００２０】
尚、ＤＳＣ（示差走査型熱量計）で測定される融解曲線のピーク温度（ｂ）は、測定された吸熱曲線での高さが最大の値となる温度である。該吸熱曲線は、パーキンエルマー社製入力補償型示差走査熱量測定装置Ｄｉａｍｏｎｄ  ＤＳＣを用いて、試料を１００℃まで昇温し、１００℃で５ 分間保持し、１００℃から−５０℃まで１０℃／分の速度で降温し、−５０℃で５分間保持し、−５０℃から１００℃まで１０℃／分の速度で昇温して測定する。また、この方法によって、転移エンタルピー（ΔＨ）も測定できる。
【００２１】
成分（Ｃ−１）が、架橋構造または水素結合などの強い分子間相互作用を有するなどの理由により融解時にＣ層の形状を保持することができる場合、Ｃ層における成分（Ｃ−１）の含有割合としては、効率的な冷媒として機能させる観点から、好ましくは、４０重量％以上であり、より好ましくは、６０重量％以上であり、更に好ましくは、８０重量％以上であり、特に好ましくは、１００重量％である。一方、成分（Ｃ−１）自身が融解時に形状を保持できない場合、Ｃ層における成分（Ｃ−１）の含有割合としては、Ｃ層を効率的な冷媒として機能させる観点、およびＣ層の形状を保持する観点から、３０重量％から５０重量％の範囲であることが好ましい。融解時に形状を保持できない成分（Ｃ−１）が５０重量％を超える割合で、マトリックス相として存在すると、Ｃ層の形状を保持することができないことがある。
【００２２】
Ｄ層は、ＤＳＣ（示差走査熱量測定）で測定される転移エンタルピー（ΔＨ）が１０Ｊ／ｇ以上である蓄熱層であり、その蓄熱性能は、０℃から５０℃の温度環境において、ＤＳＣ（示差走査熱量測定）で測定される転移エンタルピー（ΔＨ）が１０Ｊ／ｇ以上であり、好ましくは、１０Ｊ／ｇ以上３００Ｊ／ｇ以下であり、より好ましくは、２０Ｊ／ｇ以上３００Ｊ／ｇ以下であり、更に好ましくは、６０Ｊ／ｇ以上３００Ｊ／ｇ以下である。上記蓄熱性能が１０Ｊ／ｇ未満では、蓄熱性能が不充分となる。蓄熱層は潜熱を利用した潜熱蓄熱性物質を封入する方法、蓄熱性レンガなどを層状に加工する方法など、各種公知の方法を用いて作ることができる。また、パーキンエルマー社製入力補償型示差走査熱量測定装置Ｄｉａｍｏｎｄ  ＤＳＣを用いて、試料を１００℃まで昇温し、１００℃で５ 分間保持し、１００℃から−５０℃まで１０℃／分の速度で降温し、−５０℃で５分間保持し、−５０℃から１００℃まで１０℃／分の速度で昇温して測定することで転移エンタルピーΔＨを求め、蓄熱性能を評価することができる。
【００２３】
Ｅ層は、前記Ｄ層に接していない表面が親水表面であり、当該親水表面の水滴接触角が６０度以下である層である。水滴接触角が６０度以下であれば、大気中の水分によりＥ層表面が濡れ、水の蒸散による気化熱冷却によりＥ層を冷やすことができる。水滴接触角が６０度を越える場合、Ｅ層の表面に水を維持できず、水の蒸散による冷却効果を期待できない。
水滴接触角は、協和界面科学株式会社製  全自動接触角計  ＤＭ−３０１を用いてθ／２法にて、２３℃の温度環境下、２μＬの水液量で測定した値である。
【００２４】
（２）積層体（２）
本発明の積層体（２）は、上記Ａ層、上記Ｂ層、上記Ｃ層、上記Ｄ層、上記Ｂ層および下記Ｆ層がこの順番に重なってなる積層体である。
Ｆ層：ＬＣＳＴ型相分離の臨界温度（ｃ）が０℃から５０℃である組成物を含有する層
ここで、ＬＣＳＴ型相分離の臨界温度（ｃ）とは、下部完溶温度（LCST; lower critical solution temperature）の略であり、低温で完全溶解し、高温で部分溶解する系で、その境界温度をいう。
【００２５】
積層体（２）は、例えば、建物内部の熱を建物外部に放出するヒートポンプの役割を果たす積層建材として用いることができ、その際は、Ａ層が建物の屋内側に配置される。
【００２６】
Ｆ層は、ＬＣＳＴ型相分離の臨界温度（ｃ）が０℃から５０℃である組成物を含有する層である。積層体（２）が積層建材として用いられる場合は、Ｆ層は、建物外において熱の輻射を制御する機能を有する。高温時には輻射を遮り、低温時に輻射を遮らない役割を有する。また、Ｆ層は、均一相となる低温の温度域では透明となることで輻射を透過させてＢ層ないしはＥ層からの熱を建物外に伝える一方で、２相分離する高温の温度域では白濁するなどして輻射を遮蔽し、建物外からの熱を遮蔽する、すなわち断熱することで、室内に伝えないようにすることが必要である。
【００２７】
Ｆ層に含まれる組成物としては、２種以上のポリマーを含有する組成物、感温性ポリマー系組成物等が挙げられる。２種以上のポリマーを含有する組成物としては、ポリイソブチレンとエチレン−プロピレン交互共重合体とを含有する組成物等が挙げられる。感温性ポリマー系組成物としては、オキシエチレン鎖を側鎖に持つビニルエーテルポリマーの水溶液組成物、ポリ(N-イソプロピルアクリルアミド)の水溶液組成物等が挙げられる。取り扱いの容易さ、湿度による影響を最小限にする観点から、Ｆ層に含まれる組成物として、好ましくは、２種以上のポリマーを含有する組成物であり、より好ましくは、２種以上のポリオレフィンを含有する組成物である。
【００２８】
（３）積層体（３）
本発明の積層体（３）は、上記Ａ層、上記Ｂ層、上記Ｃ層および上記Ｄ層がこの順番に重なり、下記Ｄ層の上に下記Ｅ層が重なる部分と、下記Ｄ層の上に下記Ｂ層および下記Ｆ層がこの順番に重なる部分とを有し、上記Ｄ層の上に重なる上記Ｂ層と上記Ｅ層との面積の比（Ｂ：Ｅ）が２：１〜１：２である積層体である。
【００２９】
積層体（３）は、例えば、建物内部の熱を建物外部に放出するヒートポンプの役割を果たす積層建材として用いることができ、その際は、Ａ層が建物の屋内側に配置される。
【００３０】
ＵＣＳＴ型相分離の臨界温度（ａ）と融解曲線のピーク温度（ｂ）とＬＣＳＴ型相分離の臨界温度（ｃ）の好ましい相対的関係について述べる。ＵＣＳＴ型相分離の境界温度（ａ）と融解曲線のピーク温度（ｂ）については、目的の方向に熱を伝えるヒートポンプの役割の観点から、（ａ−５）℃＜＝ｂ℃＜＝（ａ＋５）℃の関係であることが好ましい。  
【００３１】
融解曲線のピーク温度（ｂ）とＬＣＳＴ型相分離の臨界温度（ｃ）については、目的の方向に熱を伝えるヒートポンプの役割の観点から、ｃ℃＜＝ｂ℃＜＝（ｃ＋５）℃の関係であることが好ましい。
【００３２】
また、積層体（１）、積層体（２）または積層体（３）が積層建材として用いられるときは、各層は、常に、他の層と接している必要はなく、例えば、カーテン、シャッターのような機能を設けて、必要に応じて、手動または電動機構を用いて、昼間と夜間とで各層を適宜スイッチングさせてもよい。例えば、積層体（１）を用いる場合は、Ｄ層を壁に配置し、Ａ層、Ｂ層およびＣ層からなる層、またはＥ層に、カーテン、シャッター等の機能を設けて、昼間の暑い時には、Ａ層、Ｂ層およびＣ層からなる層を室内側からＤ層に接するようにし、夜間の寒い時には、Ｅ層を室外側からＤ層に接するようにしてもよい。積層体（２）または積層体（３）を用いる場合も同様である。
【実施例】
【００３３】
以下、本発明の実施の形態について、図面を参照しながら説明する。なお、この実施の
形態によって本発明が限定されるものではない。
【００３４】
［実施例１］  （実施の形態１）
本発明の第１の実施の形態について、図１を用いて説明する。図１は本発明の第１の実施の形態における断面図である。
【００３５】
上記ａ、ｂ、ｃを全て２８℃とし、昼は屋外３５℃、高湿度、屋内３０℃、高湿度、夜は屋外２５℃の熱帯夜の夏季を想定する。
昼、Ａ層は１相状態であり屋内からの輻射を透過する。Ｂ層を介して、屋内の熱はＣ層に伝えられる。成分（Ｃ−１）の融解で吸熱し、屋内は冷却される。Ｃ層は、前日の夜に蓄冷したＤ層との間で熱交換する。Ｅ層には空気中の水分が広がり、蒸散によりＤ層を冷却することができる。
夜、Ｅ層には空気中の水分が広がり、蒸散によりＤ層を冷却することができる。Ｄ層は冷却され、蓄冷する。成分（Ｃ−１）は放熱し、結晶状態に戻る。ａ以下となった室内に面したＡ相は２相状態であり、昼間、蓄熱した成分（Ｃ−１）からの熱が室内に輻射されることを防ぐ。
【００３６】
昼は屋外５℃、低湿度、屋内２０℃、夜は屋外０℃の冷え込みの冬季を想定する。
常に、Ａ層は２相状態であり、輻射を透過せず、屋内と屋外を断熱する。
【００３７】
［実施例２］  （実施の形態２）
本発明の第２の実施の形態について、図２を用いて説明する。図２は本発明の第２の実施の形態における断面図である。
【００３８】
実施の形態１と同じく、ａ、ｂ、ｃの全てを２８℃とし、昼は屋外３５℃、高湿度、屋内３０℃、高湿度、夜は屋外２５℃の熱帯夜の夏季を想定する。
昼、Ａ層は１相状態であり輻射を透過する。Ｂ層を介して、屋内の熱はＣ層に伝えられる。成分（Ｃ−１）の融解で吸熱し、屋内を冷却する。Ｃ層は、前日の夜に蓄冷したＤ層との間で熱交換する。Ｆ層は２相状態であり、屋外からの輻射を遮り、Ｄ層が屋外から加熱されるのを防ぐ。
夜、Ｄ層はその屋外側に積層されたＢ層からの放熱により効率的に冷却され、蓄冷する。成分（Ｃ−１）は放熱し、結晶状態に戻る。ａ以下となった室内に面したＡ相は２相状態であり、昼間、蓄熱した成分（Ｃ−１）からの熱が室内に輻射されることを防ぐ。
【００３９】
昼は屋外５℃、低湿度、屋内２０℃、夜は屋外０℃の冷え込みの冬季を想定する。
常に、Ａ層は２相状態であり、輻射を透過せず、屋内と屋外を断熱する。
【００４０】
［実施例３］  （実施の形態３）
本発明の第３の実施の形態について、図３を用いて説明する。図３は本発明の第３の実施の形態における断面図である。
【００４１】
実施の形態１と同じく、ａ、ｂ、ｃの全てを２８℃とし、昼は屋外３５℃、高湿度、屋内３０℃、高湿度、夜は屋外２５℃の熱帯夜の夏季を想定する。
昼、Ａ層は１相状態であり輻射を透過する。Ｂ層を介して、屋内の熱はＣ層に伝えられる。成分（Ｃ−１）の融解で吸熱し、屋内を冷却する。Ｃ層は、前日の夜に蓄冷したＤ層との間で熱交換する。Ｅ層には空気中の水分が広がり、蒸散によりＤ層を冷却する。Ｆ層は２相状態であり、屋外からの輻射を遮り、Ｄ層がＢ層を介して屋外から加熱されるのを防ぐ。
夜、Ｆ層は１相状態になり、Ｂ層からの輻射を透過する。Ｄ層はその屋外側に積層されたＢ層からの放熱により効率的に冷却され、蓄冷する。成分（Ｃ−１）は放熱し、結晶状態に戻る。ａ以下となった室内に面したＡ相は２相状態であり、昼間、蓄熱した成分（Ｃ−１）からの熱が室内に輻射されることを防ぐ。Ｅ層には空気中の水分が広がる。夜明けとともに気温が上昇すれば、水の蒸散により冷却される。
【００４２】
昼は屋外５℃、低湿度、屋内２０℃、夜は屋外０℃の冷え込みの冬季を想定する。
常に、Ａ層は２相状態であり、輻射を透過せず、屋内と屋外を断熱する。
【００４３】
［実施例４］  （実施の形態４）
本発明の第４の実施の形態について、図４〜８を用いて説明する。図４は本発明の第４の実施の形態における概観図であり、図５〜８は本発明の第４の実施の形態における断面図である。図１０は屋外と屋内の温度の変化である。第４の実施の形態においては、床１面と屋根裏１面と壁３面は、図８のように断熱材（Ｇ層）のみで形成している。壁１面には図７に示す蓄冷材（Ｄ層）を有する図５または図６に示す積層体を有する。図５のＧ層は実施の形態１〜３における昼の暑い気温を断熱しながら、Ｄ層に備わった蓄冷材に蓄積された夜の冷気を室内に導入する役割を果たす。図６のＧ層は実施の形態１〜３における夜の冷えた気温を蓄冷材に冷気を蓄積させながら、屋外の冷気で屋内を冷やしすぎないように断熱させる役割を果たしている。実施の形態１〜３では断熱の機能を自発的にスイッチングするための積層体であるが、実施の形態４のように断熱機能を有するカーテンやシャッターを手動または電動機構を用いて昼間と夜間で断熱機能を適宜スイッチングすることでも効果を得ることができる。
【００４４】
Ｇ層の断熱材として、２５ｍｍ厚のアキレスボードＰＥノンフロン（アキレス株式会社製，硬質ウレタンフォーム断熱材）を用いた。Ｄ層は、図７のように蓄冷材として、融解温度が約２０℃である潜熱蓄熱材パッサーモＰ２０（玉井化成株式会社製，１４５ｍｍ×２２０ｍｍ×２３ｍｍ，５００ｇソフトタイプ）を２５ｍｍ厚のアキレスボードＰＥノンフロン（アキレス株式会社製，硬質ウレタンフォーム断熱材）に埋め込んで作成した。上述の蓄冷材の融解温度を最低気温と最高気温の間に設定することで、室内の温度環境を快適に保つことができる。異なる融解温度を複数有する蓄冷材を用いてもよいし、異なる融解温度を有する蓄冷材を２つ以上用いても良い。
環境温度の変化を再現するために、サタケ恒温槽ＫＨＹＶ−４０ＨＰ（佐竹化学機械工業株式会社製）を用いた。温度トレーサーとして、サーモレコーダーＲＴ−１３（エスペックミック株式会社製）を用いて図４の屋外と屋内の温度を測定した。家屋の高さ２０ｃｍ、家屋の壁から５ｃｍはなれた箇所の温度を測定した。また屋内の温度として、家屋の居住空間の中心の温度を測定した。
【００４５】
図１０にしめす夕刻〜夜間に相当する時間帯は、壁１面を図５で示す積層体とすることで、夜間の冷気を蓄冷材に溜め込みつつ屋内を冷やし過ぎないようにしている。また、朝から昼間に相当する時間帯は、壁１面を図６で示す積層体とすることで、高い外気温を遮熱しながら夜間に蓄冷した冷気を屋内に取り込むことができるため、１日を通して、屋内の温度の変化が緩やかとなり、最高気温と最低気温の差も小さくなる。このような機能は、前記実施例１〜３に記載のような材料を用いて実現することができるし、また手動または電動機構によって、断熱材（Ｇ層）と蓄冷材（Ｄ層）の冷気の吸熱放熱機能をスイッチングすることでも実現することができる。
【００４６】
［比較例１］
図４に示す床材１面、屋根裏材１面、壁材４面全てにおいて、図８に示す構成のように断熱材（Ｇ層）だけで形成されている以外は、実施例４と同様に行った。図１０に示すように、１日の間で、屋外と屋内の温度変化がほぼ同じになる。
【００４７】
［比較例２］
図４に示す床材１面、屋根裏材１面、壁材３面を、図８に示す断熱材で形成し、壁材１面を図９に示す蓄冷材（Ｄ層）で構成されている以外は、実施例４と同様に行った。図１０に示すように、１日の間で、屋外と屋内の温度変化がほぼ同じになり、スイッチング機能を有さないと温度変化を緩やかにすることができない。
【産業上の利用可能性】
【００４８】
以上のように、本発明の積層体を積層建材として用いた場合は、夏季の昼間など高温時の建物内の熱を、電力などのエネルギーを使わずに建物外に放出し、冬季には屋外と屋内を断熱することができる。
【符号の説明】
【００４９】
１  ５ｍｍ厚ベニアボード製５寸屋根
２  パッキン（ＥＰＤＭ発泡ゴムホース）
３  鉄鋼製アングル
４  ６面のうち、壁材４面、床材１面、屋根裏材１面
５  断熱材
６  蓄冷材
【図１】
2013052677.tif 000003
【図２】
2013052677.tif 000004
【図３】
2013052677.tif 000005
【図４】
2013052677.tif 000006
【図５】
2013052677.tif 000007
【図６】
2013052677.tif 000008
【図７】
2013052677.tif 000009
【図８】
2013052677.tif 000010
【図９】
2013052677.tif 000011
【図１０】
2013052677.tif 000012